(57)【要約】【課題】光学フィルターの透過光の波長シフトを防止し、擬似太陽光の発光スペクトルのずれを防止する。【解決手段】ランプ２２を収容し、被照射体１０との対向面に放射面が形成され、当該放射面に上面光学フィルター２６が設けられた擬似太陽光照射ボックス６を有した擬似太陽光照射装置１であって、前記ランプ２２の長手方向に沿って所定の間隔で配置され、前記ランプ２２から前記上面光学フィルター２６に所定角度以上の入射角で入射する光を遮光する遮光体６０を備える構成とした。【選択図】図６
2010171132.tif 000002
【特許請求の範囲】
【請求項１】
線状光源を収容し、被照射体との対向面に放射面が形成され、当該放射面に光学フィルターが設けられた擬似太陽光照射ボックスを有した擬似太陽光照射装置であって、
前記線状光源の長手方向に沿って所定の間隔で配置され、前記線状光源から前記光学フィルターに所定角度以上の入射角で入射する光を遮光する遮光体を備えたことを特徴とする擬似太陽光照射装置。
【請求項２】
前記遮光体は、前記線状光源から入射してくる光を吸収し、当該遮光体での反射を抑制することを特徴とする請求項１に記載の擬似太陽光照射装置。
【請求項３】
線状光源を収容し、被照射体との対向面に放射面が形成され、当該放射面に光学フィルターが設けられた擬似太陽光照射ボックスを有した擬似太陽光照射装置であって、
前記線状光源の長手方向に沿って所定の間隔で配置され、前記線状光源から前記光学フィルターに所定角度以上の入射角で入射する光を反射して前記光学フィルターへの入射角を小さくする反射体を備えたことを特徴とする擬似太陽光照射装置。
【請求項４】
前記反射体は、前記擬似太陽光照射ボックス内を仕切るとともに前記線状光源が通る開口が設けられた、両面が反射面として機能する板状に形成され、
前記開口の縁部の両面には、それぞれ所定の曲率で湾曲した前記湾曲反射面が形成され、それぞれの前記湾曲反射面で反射された反射光が前記光学フィルターに前記所定角度よりも小さい入射角で入射することを特徴とする請求項３に記載の擬似太陽光照射装置。
【請求項５】
前記反射体は、前記擬似太陽光照射ボックス内を仕切るとともに前記線状光源が通る開口が設けられた、両面が反射面として機能する一様な肉厚の板状に形成され、
前記開口の縁部には、所定の曲率で湾曲した前記湾曲反射面が形成され、
前記湾曲反射面の凹面側で反射された反射光、及び、凸面側で反射された反射光のそれぞれが前記光学フィルターに前記所定角度よりも小さい入射角で入射する
ことを特徴とする請求項３に記載の擬似太陽光照射装置。
【発明の詳細な説明】
【技術分野】
【０００１】
本発明は、擬似太陽光を被照射面に照射する擬似太陽光照射装置に関する。
【背景技術】
【０００２】
太陽電池の光電変換特性などの、各種太陽エネルギー利用機器の性能測定及び加速劣化試験のために、自然太陽光の発光スペクトルを再現した擬似太陽光を、被照射体に照射する擬似太陽光照射装置（ソーラーシミュレーターとも呼ばれる）が知られている。
この種の擬似太陽光照射装置においては、キセノンフラッシュランプ等のランプ光源を箱体の中に設置し、誘電多層膜が形成されたスペクトル調整用の透過型の光学フィルターを箱体の放射面に設け、光源の光を該光学フィルターに通すことで放射面から擬似太陽光を放射する照射ボックスが用いられている（例えば、特許文献１参照）。
【先行技術文献】
【特許文献】
【０００３】
【特許文献１】特開２００２−２９６３１９号公報
【発明の概要】
【発明が解決しようとする課題】
【０００４】
ところで、広面積の太陽電池にも対応可能にすべく、直管形のランプ光源を長手方向に１本または複数本、直線状に繋いで照射範囲を拡大しようとした場合には、次のような問題がある。
すなわち、上記光学フィルターには、誘電多層膜干渉フィルター（エアマスフィルター）が用いられており、係る光学フィルターは、入射光の入射角度がある程度大きくなると、当該入射角度に応じて光学フィルターの透過光が短波長側にシフトする波長シフトを起こす。
【０００５】
また、光源が線状光源である場合、光源が長くなるほど、光源の長手方向の遠方に向う光が増加する。このとき、長手方向の遠方に向う光ほど光学フィルターへの入射角度が大きくなるため、透過光の波長シフトが顕著になり、擬似太陽光の発光スペクトルが自然太陽光のスペクトルからずれる、といった問題がある。
本発明は、上述した事情に鑑みてなされたものであり、光学フィルターの透過光の波長シフトを防止し、擬似太陽光の発光スペクトルのずれを防止できる擬似太陽光照射装置を提供することを目的とする。
【課題を解決するための手段】
【０００６】
上記目的を達成するために、本発明は、線状光源を収容し、被照射体との対向面に放射面が形成され、当該放射面に光学フィルターが設けられた擬似太陽光照射ボックスを有した擬似太陽光照射装置であって、前記線状光源の長手方向に沿って所定の間隔で配置され、前記線状光源から前記光学フィルターに所定角度以上の入射角で入射する光を遮光する遮光体を備えたことを特徴とする。
【０００７】
また本発明は、上記擬似太陽光照射装置において、前記遮光体は、前記線状光源から入射してくる光を吸収し、当該遮光体での反射を抑制することを特徴とする。
【０００８】
また上記目的を達成するために、本発明は、線状光源を収容し、被照射体との対向面に放射面が形成され、当該放射面に光学フィルターが設けられた擬似太陽光照射ボックスを有した擬似太陽光照射装置であって、前記線状光源の長手方向に沿って所定の間隔で配置され、前記線状光源から前記光学フィルターに所定角度以上の入射角で入射する光を反射して前記光学フィルターへの入射角を小さくする反射体を備えたことを特徴とする。
【０００９】
また本発明は、上記擬似太陽光照射装置において、前記反射体は、前記擬似太陽光照射ボックス内を仕切るとともに前記線状光源が通る開口が設けられた、両面が反射面として機能する板状に形成され、前記開口の縁部の両面には、それぞれ所定の曲率で湾曲した前記湾曲反射面が形成され、それぞれの前記湾曲反射面で反射された反射光が前記光学フィルターに前記所定角度よりも小さい入射角で入射することを特徴とする。
【００１０】
また本発明は、上記擬似太陽光照射装置において、前記反射体は、前記擬似太陽光照射ボックス内を仕切るとともに前記線状光源が通る開口が設けられた、両面が反射面として機能する一様な肉厚の板状に形成され、前記開口の縁部には、所定の曲率で湾曲した前記湾曲反射面が形成され、前記湾曲反射面の凹面側で反射された反射光、及び、凸面側で反射された反射光のそれぞれが前記光学フィルターに前記所定角度よりも小さい入射角で入射することを特徴とする。
【発明の効果】
【００１１】
本発明によれば、線状光源から光学フィルターに所定角度以上の入射角で入射する光が遮光体により遮光されるため、光学フィルターの透過光が波長シフトを起こすことがなく、擬似太陽光の発光スペクトルのずれを防止できる。
また別の本発明によれば、線状光源から光学フィルターに所定角度以上の入射角で入射する光を反射体が反射して光学フィルターへの入射角を小さくするため、光学フィルターの透過光が波長シフトを起こすことがなく、擬似太陽光の発光スペクトルのずれを防止できる。
【図面の簡単な説明】
【００１２】
【図１】本発明の第１実施形態における擬似太陽光照射装置の構成を模式的に示す縦断面図である。
【図２】擬似太陽光照射装置の右半分を示す平面図である。
【図３】擬似太陽光照射装置の構成を示す横断面図である。
【図４】擬似太陽光照射ボックスの構成を示す図であり、（Ａ）は擬似太陽光照射ボックスの長手方向に垂直な断面を概略的に示す横断面図、（Ｂ）は擬似太陽光照射ボックスの長手方向の断面を概略的に示す縦断面図である。
【図５】光学フィルター及び下面光学フィルターの透過特性の一例を示す図である。
【図６】擬似太陽光照射ボックスの内部構成を模式的に示す図である。
【図７】本発明の第２実施形態に係る擬似太陽光照射ボックスの内部構成を模式的に示す図である。
【図８】本発明の第３実施形態に係る擬似太陽光照射ボックスの内部構成を模式的に示す図である。
【発明を実施するための形態】
【００１３】
以下、図面を参照して本発明の実施形態について説明する。
＜第１実施形態＞
図１は、本実施形態における擬似太陽光照射装置１の構成を模式的に示す縦断面図である。なお、図１においてＷは幅方向を、Ｈは高さ方向を示している。
擬似太陽光照射装置１は、複数の角材２を格子状に組んだ枠体４を有し、この枠体４は、例えば長さが略２３００ｍｍ、幅が略１３００ｍｍ、高さが略１１８０ｍｍの寸法に構成されている。枠体４の四方の各側面は、外部光の進入を防止するために遮光板（不図示）で覆われている。
【００１４】
擬似太陽光照射装置１は、この枠体４の長さ方向において対面する側面間に、擬似太陽光を放射する擬似太陽光照射ボックス６が渡設され、この擬似太陽光照射ボックス６の下面６Ａに対向させて反射面８が配置される共に、擬似太陽光照射ボックス６の上面６Ｂに対向させて太陽電池パネル等の平坦な被照射面１０Ａを有する被照射体１０が配置されている。この被照射面１０Ａが枠体４の上面を閉塞することで当該上面からの外部光の進入が防止されている。
【００１５】
反射面８は、擬似太陽光照射ボックス６の下面６Ａからの擬似太陽光を反射し、被照射体１０の被照射面１０Ａを照射する反射板３０を傾動自在に保持する複数の反射装置３２を有して構成されている。
被照射体１０は、被照射面１０Ａが擬似太陽光照射ボックス６から所定の距離Ｌだけ離間するように、枠体４の上に取り付けられた試料支持枠１２に載置され、被照射面１０Ａに対して、擬似太陽光照射ボックス６の上面６Ｂからの直接光と、反射面８で反射された反射光が照射される。反射光の配光は、被照射面１０Ａでの直接光の照度むらを補償するように制御されており、これにより、被照射面１０Ａでの照度の均一化が実現されている。
【００１６】
図２は擬似太陽光照射装置１の右半分を示す平面図であり、図３は擬似太陽光照射装置１の構成を示す横断面図である。
擬似太陽光照射ボックス６の中には、２本の直管型のランプ（光源）２２が擬似太陽光照射ボックス６に沿って同軸に配置されて線状光源を構成している。これらのランプ２２には、紫外領域〜可視領域〜赤外領域の広い波長領域に亘り、強い連続したスペクトルを有する、例えばキセノンフラッシュランプ等が用いられている。ランプ２２のそれぞれの両端部には、端子台４０が配設されている。
【００１７】
反射板３０は、表面が金属の板材であり、擬似太陽光照射ボックス６に沿って略平行に延在している。この反射板３０と、反射板３０を保持する保持具３１とにより反射装置３２が構成されている。そして、枠体４の底床４Ａ上に、複数の反射装置３２が並設されることで、複数の反射板３０が敷き詰められて設けられ、これらの反射板３０により反射面８が形成されている。
保持具３１は、反射板３０の傾斜角度を調節するための角度調整機構を有し、これにより、反射板３０のそれぞれを、互いに独立して光の反射角度を調整することができるようになっている。このとき、図１に示すように、枠体４の幅方向における両側面に近い幾つかの保持具３１の高さが順次高くなされており、両側面側の反射板３０の反射光が内側の反射板３０に遮蔽されるのを防止している。
【００１８】
また、枠体４の長さ方向において対面する側面側には、図２及び図３に示すように、長さ方向における両端側に向けて光を反射する補助反射面５０が設けられている。補助反射面５０は、擬似太陽光照射ボックス６に沿って略平行に延在する表面が金属の板材が複数配列されて構成されている。この補助反射面５０は、例えば、擬似太陽光照射ボックス６の長さ方向における両端側での直接光の照度低下が顕著な場合に、この補助反射面５０の反射角度（傾斜角度）を調整して照度低下を補うことなどに使用可能である。
【００１９】
図４は擬似太陽光照射ボックス６の構成を示す図であり、図４（Ａ）は擬似太陽光照射ボックス６の長手方向に垂直な断面を概略的に示す横断面図、図４（Ｂ）は擬似太陽光照射ボックス６の長手方向の断面を概略的に示す縦断面図である。
擬似太陽光照射ボックス６は、擬似太陽光照射ボックス６の長手方向に沿った両側面２０Ａ、２０Ｂを構成する長板状の一対のサイドフレーム２４と、上面６Ｂを構成する上面光学フィルター２６と、下面６Ａを構成する下面光学フィルター２７と、これらサイドフレーム２４、上面光学フィルター２６及び下面光学フィルター２７を組み留める金具（図示せず）とを有している。
サイドフレーム２４は、光遮光性材により形成され、或いは、光の透過を防止する遮光材が付加または塗布されている。
【００２０】
上面光学フィルター２６及び下面光学フィルター２７のそれぞれは、ランプ２２の放射光から赤外波長域をカットすることで、放射光の発光スペクトルを太陽光に近似させる、いわゆるエアマスフィルターであり、誘電多層膜フィルターが用いられている。
上面光学フィルター２６及び下面光学フィルター２７のそれぞれは、２枚の板状のフィルター材２８を山形（谷形）に係合させて構成されている。
【００２１】
本実施形態で用いた上面光学フィルター２６及び下面光学フィルター２７の透過特性を図５に示す。
この図に示すように、上面光学フィルター２６及び下面光学フィルター２７への入射角が大きくなるほど、透過光の発光スペクトルが短波長側にシフトする。また、波長１０００ｎｍ以上の発光スペクトル成分が増加することもある。
そこで本実施形態では、ランプ２２の長手方向に垂直な断面方向に直接向う放射光成分である第１光成分Ｓ１については、上面光学フィルター２６及び下面光学フィルター２２７の配置を調整することで高入射角光の入射を防止し、また、ランプ２２の長手方向に直接向う第２光成分Ｓ２については、ランプ２２の長手方向に遮光体６０を配置することで高入射角光の入射を防止している。
【００２２】
先ず、第１光成分Ｓ１の高入射角防止について説明する。
上面光学フィルター２６に入射する第１光成分Ｓ１は、上面光学フィルター２６が水平に配置されている場合（図４（Ａ）中仮想線で示す）、ランプ２２の中心Ｏを通る垂線（鉛直線）ＶＬと成す角αが大きくなるほど、すなわち、上面光学フィルター２６の左右両端部２６Ａに向う光ほど、上面光学フィルター２６への入射角θ１が大きくなる。
そこで本実施形態では、２枚の板状のフィルター材２８を山形に係合させて上面光学フィルター２６を構成することで、上面光学フィルター２６の左右両端部２６Ａにおいて、上面光学フィルター２６が水平に配置されている場合よりも第１光成分Ｓ１の入射角θ１が小さくなるように上面光学フィルター２６が傾斜して配置される。そして、これにより、第１光成分Ｓ１の上面光学フィルター２６への高入射角での入射が防止される。
なお、下面光学フィルター２７についても同様に、２枚の板状のフィルター材２８を谷形に係合させて下面光学フィルター２７が構成されることで、その左右両端部２７Ａにおいて、下面光学フィルター２７が水平に配置されている場合よりも第１光成分Ｓ１の入射角θ１が小さくなるように下面光学フィルター２７が傾斜して配置され、高入射角での入射が防止されている。
【００２３】
次いで第２光成分Ｓ２の高入射角防止について説明する。
上面光学フィルター２６に入射する第２光成分Ｓ２は、図６に示すように、発光点Ｋから長手方向の遠方に到達する光ほど、上面光学フィルター２６への入射角θ２が大きくなる。
そこで、本実施形態では、図４及び図６に示すように、ランプ２２の長手方向に沿って所定の配置間隔で板状の遮光体６０を配置している。遮光体６０は、図４に示すように、擬似太陽光照射ボックス６の内部を仕切る仕切り材として機能し、ランプ２２の周囲に配置された４枚の板材６１〜６４（左右、或いは、上下一対の板材でも良い）で構成されており、その中心部には、ランプ２２を通す開口６７が形成される。これらの板材６１〜６４は、９０度で折曲げられた固定片６５を有し、この固定片６５が擬似太陽光照射ボックス６の両側面の上記サイドフレーム２４にボルトで固定されている。
なお、板材６１〜６４は、これらによって形成される開口６７の縁部がランプ２２に接触しない程度に近傍まで延出し、隙間からの漏れ光が抑制されている。
また、遮光体６０は、例えばアルミニウム等の金属製の板材６１〜６４の表面に黒アルマイト処理を施した上に、フィルム状の遮光膜や放射率の高い黒色塗料を施すなどして、太陽光の波長の光、より正確には、ランプ２２から放射された光を吸収するようにしている。
【００２４】
係る構成により、ランプ２２の長手方向に向う第２光成分Ｓ２のうち、遠方に向う光が遮光体６０により遮光されるから、上面光学フィルター２６に高入射角で入射することが防止される。
また、遮光体６０が太陽光の波長の光を吸収する材質から形成されているため、遮光体６０での反射が抑制されることとなり、当該遮光体６０で反射した光が上面光学フィルター２６に高入射角で入射することも無い。
【００２５】
遮光体６０により許容される第２光成分Ｓ２の入射角θ２の最大値θ２ｍは、ランプ２２の中心軸Ｃから上面光学フィルター２６の直近の縁部２６Ｅ１までの距離Ｌ、及び、遮光体６０の配置間隔Ｍを用いて次式によって規定される。
入射角θ２の最大値θ２ｍ＝Ａｒｃｔａｎ（Ｍ／Ｌ）
すなわち、遮光体６０の配置間隔Ｍを狭めれば入射角θ２の最大値θ２ｍが小さくなるため、波長シフトの無い透過光を得ることができる。
【００２６】
しかしながら配置間隔Ｍを狭めると、その分、遮光体６０の数が増えるなどして上面光学フィルター２６に入射する光量が減り、擬似太陽光照射装置１の出力低下を招くことになる。
そこで本実施形態では、透過光の波長シフトが顕著化しない範囲まで入射角θ２を許容することで、擬似太陽光照射装置１の出力低下の抑制と、発光スペクトルのずれ防止の両立を図っている。
【００２７】
具体的には、本実施形態の上面光学フィルター２６においては、前掲図５に示すように、入射角が３０度を超えると透過光の波長シフトが顕著に生じ始め、透過光の発光スペクトルにおける太陽光からのずれが目立ち始めるため、入射角θ２の最大値θ２ｍを３０度に制限するように設計されている。すなわち、本実施形態では、距離Ｌを約５０ｍｍ、配置間隔Ｍを約５８ｍｍとし、或いは、距離Ｌを約１００ｍｍ、配置間隔Ｍを約１１５ｍｍとしている。
【００２８】
ここで、図５に示すように、入射角が５０度にまで達すると、透過光の波長シフトに加え、遮断特性がなだらかになり、また、当該遮断特性に歪みＡが生じたりする。
したがって、太陽光に対する近似度の要求が緩和されており、入射角を３０度以上とする場合であっても、少なくとも入射角５０度以上の光を遮光体６０で遮光することが望ましい。
【００２９】
以上説明したように、本実施形態によれば、ランプ２２の長手方向に沿って所定の配置間隔Ｍで、ランプ２２から上面光学フィルター２６及び下面光学フィルター２７に最大値θ２ｍ以上の入射角θ２で入射する光を遮光する遮光体６０を設ける構成とした。この構成により、上面光学フィルター２６及び下面光学フィルター２７への入射角θ２が最大値θ２ｍ以下に制限されるから高入射角度での入射が抑制され、上面光学フィルター２６及び下面光学フィルター２７の透過光が波長シフトを起こすことがなく、擬似太陽光の発光スペクトルのずれを防止できる。
【００３０】
また本実施形態によれば、遮光体６０が太陽光の波長の光を吸収する材質から形成されているため、遮光体６０での反射が抑制されることとなり、当該遮光体６０で反射した光が上面光学フィルター２６に高入射角で入射することが無い。
【００３１】
＜第２実施形態＞
第１実施形態では、ランプ２２の長手方向に向う第２光成分Ｓ２を、遮光体６０により遮光する構成を例示した。これに対して、本実施形態では、遮光体６０ではなく反射体１７０を用いた構成を例示する。
図７は、本実施形態に係る擬似太陽光照射ボックス１０６の内部構成を模式的に示す図である。なお、同図において、第１実施形態で説明した部材については同一の符号を付し、その説明を省略する。
【００３２】
この図に示すように、本実施形態においては、ランプ２２の長手方向に沿って、複数の反射体１７０が所定の配置間隔で配置されている。反射体１７０は、例えばアルミニウム等の金属板から構成され、第１実施形態の遮光体６０と同様に、擬似太陽光照射ボックス１０６の内部を仕切る仕切り材として機能するように構成されている。反射体１７０は、その両面が反射面として機能し、ランプ２２から入射してくる光を反射する。
係る反射体１７０の配置間隔は、第１実施形態の遮光体６０の配置間隔Ｍと同様に、ランプ２２から上面光学フィルター２６及び下面光学フィルター２７に最大値θ２ｍ以上の入射角θ２で入射する光を反射可能な間隔に設定されている。
【００３３】
これにより、上面光学フィルター２６及び下面光学フィルター２７への入射角θ２が最大値θ２ｍ以下に制限されるから高入射角度での入射が抑制され、上面光学フィルター２６及び下面光学フィルター２７の透過光が波長シフトを起こすことがなく、擬似太陽光の発光スペクトルのずれを防止できる。
さらに、第１実施形態の遮光体６０においては、入射してくる光を吸収する構成のため、擬似太陽光照射装置１の出力が多少低下する。これに対して、本実施形態によれば、反射体１７０は、入射してくる光を反射するため、擬似太陽光照射装置１の出力低下が抑制される。
【００３４】
ところで、反射体１７０により反射した光を上面光学フィルター２６及び下面光学フィルター２７に入射する構成とすると、反射光によっては、上面光学フィルター２６及び下面光学フィルター２７への入射角θ３が上記最大値θ２ｍ以上になる。
具体的には、ランプ２２から反射体１７０への光の入射角が小さくなるほど、すなわち、反射体１７０のランプ２２側に近い箇所に入射するほど、その反射光の上面光学フィルター２６及び下面光学フィルター２７への入射角θ３が大きくなる。
【００３５】
そこで本実施形態においては、反射体１７０のうち、少なくとも、ランプ２２を通す開口１６７（第１実施形態の開口６７に対応）の縁部１７０Ａの両面に、例えば楕円或いは放物線の曲率を有する湾曲反射面１７１が形成されている。この湾曲反射面１７１の曲率は、反射光Ｓ３の上面光学フィルター２６及び下面光学フィルター２７への入射角θ３を上記最大値θ２ｍよりも小さくする曲率とされている。
これにより、反射体１７０で反射された反射光の上面光学フィルター２６及び下面光学フィルター２７への入射角θ３が上記最大値θ２ｍ以下に制限されるため、上面光学フィルター２６及び下面光学フィルター２７の透過光が波長シフトを起こすことがない。
【００３６】
このように本実施形態によれば、ランプ２２の長手方向に沿って所定の配置間隔Ｍで、ランプ２２から上面光学フィルター２６及び下面光学フィルター２７に最大値θ２ｍ以上の入射角θ２で入射する光を反射して、上面光学フィルター２６及び下面光学フィルター２７への入射角を小さくする反射体１７０を備える構成とした。
この構成により、上面光学フィルター２６及び下面光学フィルター２７への入射角θ２が最大値θ２ｍ以下に制限されるから高入射角度での入射が抑制され、上面光学フィルター２６及び下面光学フィルター２７の透過光が波長シフトを起こすことがなく、擬似太陽光の発光スペクトルのずれを防止できる。
【００３７】
＜第３実施形態＞
第２実施形態では、ランプ２２を通す開口１６７の縁部１７０Ａの両面に湾曲反射面１７１を形成した反射体１７０を例示した。この反射体１７０においては、湾曲反射面１７１が両面に形成されることで縁部１７０Ａが肉厚（図７中斜線で示す）になるため、ランプ２２の光が遮蔽され光出力が低下する。そこで、本実施形態では、光出力の低下を防止可能な実施態様を説明する。
図８は、本実施形態に係る擬似太陽光照射ボックス２０６の内部構成を模式的に示す図である。なお、同図において、第１又は第２実施形態で説明した部材については同一の符号を付し、その説明を省略する。
【００３８】
この図に示すように、本実施形態においては、反射体２７０の構造が第２実施形態の反射体１７０と相違している。
すなわち、反射体２７０は、ランプ２２を通す開口２６７（第１実施形態の開口６７に対応）の縁部２７０Ａを含めて肉厚が一様に形成されるとともに、当該縁部２７０Ａが例えば楕円或いは放物線の曲率を有するように湾曲している。そして、この湾曲により、反射体２７０の縁部２７０Ａにおいては、その一方の面に凹反射面２７１Ａ、他方の面に凸反射面２７１Ｂが形成される。
係る反射体２７０は、凹反射面２７１Ａ同士（凸反射面２７１Ｂ同士）が対向するように向かい合わせにランプ２２の長手方向に沿って配置される。
凹反射面２７１Ａは、第１実施形態と同様に、入射してくる光を反射して、当該反射光Ｓ３の上面光学フィルター２６及び下面光学フィルター２７への入射角θ３を上記最大値θ２ｍよりも小さくする。
一方、凸反射面２７１Ｂは、入射してくる光をランプ２２側に折り返すように反射して、当該反射光Ｓ４の上面光学フィルター２６或いは下面光学フィルター２７への入射角θ３を上記最大値θ２ｍよりも小さくしている。
【００３９】
この構成により、上面光学フィルター２６及び下面光学フィルター２７への入射角θ２が最大値θ２ｍ以下に制限されるから高入射角度での入射が抑制され、上面光学フィルター２６及び下面光学フィルター２７の透過光が波長シフトを起こすことがなく、擬似太陽光の発光スペクトルのずれを防止できる。
さらに、反射体２７０の肉厚が一様であるため、当該反射体２７０の縁部２７０Ａでの光の遮蔽量を抑制することができる。
【００４０】
なお、上述した実施形態は、あくまでも本発明の一態様を示すものであり、本発明の範囲内で任意に変形および応用が可能である。
例えば、上述各実施形態では、擬似太陽光照射ボックス６、１０６、２０６の上面に上面光学フィルター２６を配置し、下面に下面光学フィルター２７を配置する構成について例示した。しかしながら、擬似太陽光照射装置１が、底面側の反射板３０を有しない構成である場合には、下面光学フィルター２７は不要であり、被照射体１０と対向する上面光学フィルター２６を備えるだけでよい。
【符号の説明】
【００４１】
１  擬似太陽光照射装置
６、１０６、２０６  擬似太陽光照射ボックス
１０  被照射体
１２  試料支持枠
２０Ａ  両側面
２４  サイドフレーム
２６  上面光学フィルター
２７  下面光学フィルター
６０  遮光体
６１  板材
６７、１６７、２６７  開口
１７０、２７０  反射体
１７１  湾曲反射面
２７１Ａ  凹反射面
２７１Ｂ  凸反射面
【図１】
2010171132.tif 000003
【図２】
2010171132.tif 000004
【図３】
2010171132.tif 000005
【図４】
2010171132.tif 000006
【図５】
2010171132.tif 000007
【図６】
2010171132.tif 000008
【図７】
2010171132.tif 000009
【図８】
2010171132.tif 000010